(57)【要約】      （修正有）【課題】補強部材を使用することなく、強固に吊具取付金具を取り付けることができる、書類携帯用ケースの吊具取付構造を提供する。【解決手段】薄い箱型に形成された樹脂シートよりなる書類携帯用ケースにおいて、側面１５を、樹脂シート２枚の重ね合わせで溶着形成するとともに、側面の上端から伸び出る金具取付帯２１を内側に折返し、第１の開口部２２を通してケースの外側に出し、第２の開口部２３を通して再び内側に導き、内側に戻った金具取付帯の先端部を側面の内側に溶着ツール９９を用いて接合し、外側に出ている金具取付帯にＤ環２４を取り付ける。【選択図】図５
0003196790.tif 000002
【実用新案登録請求の範囲】
【請求項１】
書類携帯用ケースの吊具取付構造であって、
前記書類携帯用ケースの側面の内側を構成する内側シートと、
前記書類携帯用ケースの側面の外側を構成し、前記内側シートの上に重ね合わせて接合された外側シートと、
前記書類携帯用ケースの内側面又は外側面の何れかから伸び出るとともに書類携帯用ケースの内側に折り返された金具取付帯と、
前記書類携帯用ケースの側面に形成され、前記内側に折り返された金具取付帯を前記書類携帯用ケースの外側に導く第１の開口部と、
前記書類携帯用ケースの側面に形成され、前記第１の開口部を通り書類携帯用ケースの外側に出た前記金具取付帯を書類携帯用ケースの内側に導く第２の開口部と、
前記第２の開口部を通って書類携帯用ケースの内側に戻った前記金具取付帯の先端部を前記書類携帯用ケースの内壁に接合してなる接合部と、
前記第１の開口部と第２の開口部との間の金具取付帯に取り付けられた環状の吊具取付金具と、
を備えたことを特徴とする書類携帯用ケースの吊具取付構造。
【請求項２】
前記書類携帯用ケースは、樹脂シートにより形成されるとともに、前記内側シート、外側シート及び金具取付帯は前記樹脂シートにおいて一体的に形成されていることを特徴とする請求項１に記載の書類携帯用ケースの吊具取付構造。
【考案の詳細な説明】
【技術分野】
【０００１】
本考案は、書類携帯用ケースの吊具取付構造に関する。
【背景技術】
【０００２】
従来より、樹脂シートを箱状に組み立てて形成される書類携帯用ケースが各種提案されている。
【０００３】
このような書類携帯用ケースの中でも、提手を取り付けたものは、鞄に近い使い方をすることができる点で、持ち手を有さないケースファイルなどよりも使い勝手に優れている。
【０００４】
また、書類携帯用ケースに吊紐を取り付けて持ち方を変えることができるように、提手に加えて書類携帯用ケースの側部又は上部にＤ環等の吊具取付金具を設けたものもある。
【先行技術文献】
【特許文献】
【０００５】
【特許文献１】特開２０１０−２４０１４２号公報
【考案の概要】
【考案が解決しようとする課題】
【０００６】
樹脂シートを用いる書類携帯用ケースでは、吊具取付金具付近に荷重が集中して、シートに亀裂などが入って破損しやすい。このため、従来の書類携帯用ケースでは、吊具取付金具付近の固定・補強を行うべく、さらにベルトやリベット等の別部材が必要であった。
【０００７】
ところが、補強部材の取付を行うと、製造工程が増加し、製造コストがかかるという問題がある。
【０００８】
そこで、本考案は、別部材を使用せず、書類携帯用ケースを構成する樹脂シートの一部を利用して強固にＤ環（吊具取付金具）を取り付けるための吊具取付構造を提供することを目的とする。
【課題を解決するための手段】
【０００９】
下記開示の一観点によれば、書類携帯用ケースの吊具取付構造であって、前記書類携帯用ケースの側面の内側を構成する内側シートと、前記書類携帯用ケースの側面の外側を構成し、前記内側シートの上に重ね合わせて接合された外側シートと、前記書類携帯用ケースの内側面又は外側面の何れかから伸び出るとともに書類携帯用ケースの内側に折り返された金具取付帯と、前記書類携帯用ケースの側面に形成され、前記内側に折り返された金具取付帯を前記書類携帯用ケースの外側に導く第１の開口部と、前記書類携帯用ケースの側面に形成され、前記第１の開口部を通り書類携帯用ケースの外側に出た前記金具取付帯を書類携帯用ケースの内側に導く第２の開口部と、前記第２の開口部を通って書類携帯用ケースの内側に戻った前記金具取付帯の先端部を前記書類携帯用ケースの内壁に接合してなる接合部と、前記第１の開口部と第２の開口部との間の金具取付帯に取り付けられた環状の吊具取付金具と、を有する書類携帯用ケースの吊具取付構造が提供される。
【考案の効果】
【００１０】
上記観点の書類携帯用ケースの吊具取付構造によれば、書類携帯用ケースの製造時に帯状部を折り返し、１か所の接合部を書類携帯用ケースの内壁に接合するだけで、別部材を取り付けることなく吊具取付構造が得られる。
【００１１】
また、折り返された帯状部が通る書類携帯用ケースの側面は、２枚の樹脂シートが重なることで補強されるため、吊具を取り付けても破損しにくい丈夫な吊具取付構造となる。
【図面の簡単な説明】
【００１２】
【図１】図１は、実施形態に係る吊具取付構造を備えた書類携帯用ケースの斜視図である。
【図２】図２は、図１の書類携帯用ケースの展開図である。
【図３】図３は、図１の吊具取付構造の組立て方を示す斜視図である（その１）。
【図４】図４は、図１の吊具取付構造の組立て方を示す斜視図である（その２）。
【図５】図５は、図１の吊具取付構造の組立て方を示す斜視図である（その３）。
【図６】図６は、図１の吊具取付構造の断面図である。
【図７】図７は、実施形態の変形例１に係る金具取付帯を示す図である。
【図８】図８は、実施形態の変形例２に係る金具取付帯を示す図である。
【考案を実施するための形態】
【００１３】
以下、添付の図面を参照して実施形態について説明する。
【００１４】
図１は、第１実施形態に係る吊具取付構造２０を備えた書類携帯用ケース１０の斜視図であり、図２は、書類携帯用ケース１０の本体部分の展開図である。
【００１５】
図１の書類携帯用ケース１０は、角型の本体１２の上部が開口部となっており、その開口部を覆うように蓋１２ａが取り付けられている。
【００１６】
書類携帯用ケース１０の本体１２及び蓋部１２ａは、ポリプロピレンなどの可撓性を有する樹脂シートにより形成されている。図示の例では、本体１２と蓋部１２ａが一体的に形成されているが、これに限定されるものではなく、本体１２と蓋部１２ａとを別の樹脂シートで形成して接合したものであってもよい。
【００１７】
また、書類携帯用ケース１０の本体１２の正面１２ｃ及び背面１２ｂ（図２参照）には、持手１９がそれぞれ設けられている。これらの持手１９は、蓋部１２ａの横を通り、蓋部１２ａの上方で結合可能となっている。
【００１８】
通常の使用時は、書類携帯用ケース１０の持ち手１９に手のひらを通して書類携帯用ケース１０を持ち運ぶ。ただし、書類携帯用ケース１０に収容した荷物の重量によっては、片手だけ長時間書類携帯用ケース１０を持ち運ぶと疲れを感じることがある。
【００１９】
そこで、図１に示すように、本実施形態の書類携帯用ケース１０の外側面１５には、吊具取付構造２０が設けられており、その吊具取付構造２０に吊紐３０を取り付けることができる。
【００２０】
図１の部分拡大図に示すように、本実施形態の吊具取付構造２０は、書類携帯用ケース１０の側面に設けられており、本体側面に伸び出た金具取付帯２１を備えている。
【００２１】
金具取付帯２１は、書類携帯用ケース１０の側面の上端から伸び出た帯状のシートを書類携帯用ケースの上端で内側に折返して形成されたものである。この帯状のシートを、同じく側面に設けられた第１の開口２２及びその下側に設けられた第２の開口２３を通すことで、一部分が本体１２の外側に露出させている。
【００２２】
そして、この金具取付帯２１の露出部に金属又は樹脂よりなるＤ環等のリング状の吊具取付金具２４が装着される。
【００２３】
この吊具取付金具２４に、吊紐３０のナス環等を取り付けることで、吊紐３０を書類携帯用ケース１０に取り付けることができる。
【００２４】
以下、吊具取付構造２０の構造について、組み立て工程と共に説明する。
【００２５】
図２は、書類携帯用ケース１０の展開図である。
【００２６】
図２に示すように、書類携帯用ケース１０の本体１２は、正面１２ｃ、底面１２ｄ、背面１２ｂ、蓋部１２ａ及び側面１４、１５が一体的につながった一枚の樹脂シート１０ａにより形成されている。そして、図中の破線部に沿って折り曲げられて薄い箱型に形成される。
【００２７】
正面１２ｃ及び蓋部１２ａには、それぞれ突起部１３ｂ及び孔１３ａが形成されており、その突起部１３ｂ及び孔１３ａが書類携帯用ケース１０の留具を構成している。
【００２８】
正面１２ｃの両側部にはそれぞれ外側面（外側シート）１５が形成され、背面１２ｄの両側部にはそれぞれ内側面（内側シート）１４が形成されている。これらの、側面１４、１５を重ね合わせて溶着することで、書類携帯用ケース１０の形状が保持される。
【００２９】
また、内側面１４の上端からは、金具取付帯２１が上方に伸び出ている。金具取付帯２１は、側面１４、１５の幅Ａよりも狭い幅の帯状に形成されており、その付け根（側面１４、１５との境界）部分には切欠き孔２７が形成されている。
【００３０】
切欠き孔２７は、金具取付帯２１の折り曲げ部付近の樹脂シートの断面積を減らすことで、樹脂シートの反発力を減少させて、折り曲げ加工が容易にするために設けられている。
【００３１】
なお、切欠き孔２７の大きさは、樹脂シートの厚さ及び硬さに応じて適宜設定すればよい。
【００３２】
また、外側面１５の上端付近には、内側に折り込んだ金具取付帯２１を外に出すための開口２２ａ、２３ｂが形成されている。同様の開口２２ｂ、２３ｂが内側面１４にも設けられている。これらの開口２２ａ、２２ｂ、２３ａ、２３ｂの幅は、金具取付帯２１と略同じであり、その長さ（短径方向の長さ）は金具取付帯２１を構成する樹脂シートの厚みと同程度に形成されている。
【００３３】
図３〜図５は、組み立て途中の書類携帯用ケース１０の吊具取付構造２０付近を工程順に示す斜視図である。
【００３４】
樹脂シート１０ａは、トムソン加工機等による折り曲げ加工が施された後、図３に示すように、内側面１４の外側に外側面１５を重ね合わせて側面全面を溶着又は接着剤などで接合する。
【００３５】
このとき、外側面１５の開口２２ａ、２３ａと内側面１４の開口２２ｂ、２３ｂとが一致しするように位置決めされる。金具取付帯２１に近い側の開口２２ａ、２２ｂが連通した孔が第１の開口２２となり、開口２３ａ、２３ｂが連通してなる孔が第２の開口２３を構成する。
【００３６】
このようにして、側面１４、１５を重ね合わせて接合することで、書類携帯用ケース１０の本体が偏平な箱型に形成される。また、側面は２枚の樹脂シートが重なることで、第１の開口２２及び第２の開口２３の周りが補強された構造となる。
【００３７】
次に、図４に示すように、金具取付帯２１を内側面１４との境目で書類携帯用ケース１０の内側に折り曲げ、その先端を第１の開口２２を通して書類携帯用ケース１０の外側に出す。
【００３８】
さらに、金具取付帯２１の先端を吊具取付金具２４としてのＤ環に通す。
【００３９】
その後、図５に示すように、金具取付帯２１の先端を第２の開口２３に通して書類携帯用ケース１０の内側に戻す。
【００４０】
そして、溶着ツール９９を用いて、金具取付帯２１の先端を内側面１４に溶着する。
【００４１】
以上により、本実施形態に係る吊具取付構造２０が完成する。
【００４２】
図６は、吊具取付構造２０に吊具３０を取り付けた状態を示す断面図である。
【００４３】
図６に示すように、吊具取付構造２０に吊具３０を取り付けて書類携帯用ケース１０を吊り下げると、Ｄ環２４に矢印に示すような力Ｆ1が作用する。
【００４４】
この力Ｆ1は、金具取付帯２１を介して、外側面１５と金具取付帯２１との溶着部２１ａに作用する。
【００４５】
図示のように本実施形態の吊具取付構造２０では、金具取付帯２１は第１の開口２２及び第２の開口２３によってその向きが大きく変えられているため、第１の開口２２及び第２の開口２３に荷重が分散される。その結果、溶着部２１ａに採用する力Ｆ2を弱めることができる。
【００４６】
また、第２の開口部２３によって、金具取付帯２１の移動方向が規制されるため、溶着部２１ａを引きはがす方向の力が作用しないようになっている。
【００４７】
その結果、金具取付帯２１の溶着部２１ａは、接合面に平行な向きに引っ張る力のみが作用することになる。これにより、溶着部２１ａの面全体の接合力を生かして大きな荷重に耐えることができ、大きな荷重Ｆ1が作用しても溶着部２１ａが剥離するといったトラブルを防ぐことができる。
【００４８】
また、第１の開口部２２及び第２の開口部２３は、側面１４、１５を構成する２枚の樹脂シートを重ねて補強された部分に形成されるため、大きな荷重が加わった場合であっても、開口部２２、２３の周囲に亀裂が生じにくい。
【００４９】
このように、本実施形態によれば丈夫な吊具取付構造２０が得られる。
【００５０】
さらに、本実施形態の吊具取付構造２０は、特別な補強部材を用いることなく、樹脂シートで書類携帯用ケース１０を形成する際に用いる折り曲げ加工及び溶着加工で作製することができるため生産性にも優れる。
【００５１】
（変形例）
図７及び図８は、実施形態の変形例に係る金具取付帯を示す図である。
【００５２】
図７に示す変形例１では、内側面１４の上端付近から横方向に伸び出た腕部４１ａが形成されている。その腕部４１ａからは、さらに９０度上向きに屈曲して金具取付帯４１が伸びている。
【００５３】
腕部４１ａと内側面１４との境界には折目４１ｂが設けられており、この折目４１ｂで腕部４１ａが内側面１４と重なるように折り返されるようになっている。
【００５４】
さらに、腕部４１ａと金具取付帯４１との境界には、折目４１ｃが設けられており、この折目４１ｃで金具取付帯４１を内側に折り返すことで、金具取付帯４１は、図２の金具取付帯２１と同様に使用できる。
【００５５】
図８に示す変形例２では、内側面１４の上端付近から横方向に伸び出た腕部５１ａが形成されている。その腕部５１ａからは、さらに９０度下向きに屈曲して金具取付帯５１が伸びている。
【００５６】
腕部５１ａと内側面１４との境界には折目５１ｂが設けられており、この折目５１ｂで腕部５１ｂが内側面１４と重なるように折り返すと、金具取付帯５１は、図２の金具取付帯２１と同様に使用できる。
【００５７】
以上の説明では、金具取付帯を内側の内側面１４に形成する例を示したが、本考案はこれに限定されるものではなく、外側面１５に金具取付帯を設けるようにしてもよい。
【符号の説明】
【００５８】
１０…書類携帯用ケース、１２ａ…蓋部、１２ｂ…背面、１２ｃ…正面、１２ｄ…底面、１３ａ…孔、１３ｂ…突起部、１４…内側面（内側シート）、１５…外側面（外側シート）、１９…持手、２０…吊具取付構造、２１、４１、５１…金具取付帯、２２…第１の開口、２３…第２の開口、２２ａ、２２ｂ、２３ａ、２３ｂ…開口、２４…Ｄ環、２７…切欠き孔、３０…吊具。
【図１】
0003196790.tif 000003
【図２】
0003196790.tif 000004
【図３】
0003196790.tif 000005
【図４】
0003196790.tif 000006
【図５】
0003196790.tif 000007
【図６】
0003196790.tif 000008
【図７】
0003196790.tif 000009
【図８】
0003196790.tif 000010